(57)【要約】【課題】輝度段差を防止すると共に消費電力を低減することができるプラズマディスプレイ装置を提供することを課題とする。【解決手段】第１の電極と、前記第１の電極に隣接する第２の電極と、前記第２の電極に対して前記第１の電極とは逆側に隣接し、前記第２の電極との間で維持放電を行うための第３の電極と、前記維持放電のための複数の第１の維持放電パルス、第２の維持放電パルス及び第３の維持放電パルスをそれぞれ前記第１の電極、前記第２の電極及び前記第３の電極に供給する駆動回路とを有し、前記第１の維持放電パルスのエッジ及び前記第２の維持放電パルスのエッジは、相互に位相が同じエッジと相互に位相が異なるエッジを有することを特徴とするプラズマディスプレイ装置が提供される。【選択図】図８
2008051845.tif 000002
【特許請求の範囲】
【請求項１】
第１の電極と、
前記第１の電極に隣接する第２の電極と、
前記第２の電極に対して前記第１の電極とは逆側に隣接し、前記第２の電極との間で維持放電を行うための第３の電極と、
前記維持放電のための複数の第１の維持放電パルス、第２の維持放電パルス及び第３の維持放電パルスをそれぞれ前記第１の電極、前記第２の電極及び前記第３の電極に供給する駆動回路とを有し、
前記第１の維持放電パルスのエッジ及び前記第２の維持放電パルスのエッジは、相互に位相が同じエッジと相互に位相が異なるエッジを有することを特徴とするプラズマディスプレイ装置。
【請求項２】
前記第１の維持放電パルスのエッジ及び前記第２の維持放電パルスのエッジは、１周期中において、相互に位相が同じエッジの数と相互に位相が異なるエッジの数とが同じであることを特徴とする請求項１記載のプラズマディスプレイ装置。
【請求項３】
前記駆動回路は、第１の周期パターンの電圧及びそれに続く第２の周期パターンの電圧を前記第１の電極、前記第２の電極及び前記第３の電極に供給し、
前記第１の周期パターンの電圧及び前記第２の周期パターンの電圧の期間において、前記第１の維持放電パルスのエッジ及び前記第２の維持放電パルスのエッジは、相互に位相が同じエッジと相互に位相が異なるエッジを有することを特徴とする請求項１記載のプラズマディスプレイ装置。
【請求項４】
前記第１の周期パターンの電圧及び前記第２の周期パターンの電圧の期間において、前記第１の維持放電パルスのエッジ及び前記第２の維持放電パルスのエッジは、相互に位相が同じエッジの数と相互に位相が異なるエッジの数とが同じであることを特徴とする請求項３記載のプラズマディスプレイ装置。
【請求項５】
前記第１の電極及び前記第２の電極は、前記維持放電を行うか否かを選択するためのスキャンパルスを印加するための電極である請求項１〜４のいずれか１項に記載のプラズマディスプレイ装置。
【請求項６】
第１の電極と、
前記第１の電極に隣接する第２の電極と、
前記第２の電極に対して前記第１の電極とは逆側に隣接し、前記第２の電極との間で維持放電を行うための第３の電極と、
前記第３の電極に対して前記第２の電極とは逆側に隣接する第４の電極と、
前記維持放電のための複数の第１の維持放電パルス、第２の維持放電パルス、第３の維持放電パルス及び第４の維持放電パルスをそれぞれ前記第１の電極、前記第２の電極、前記第３の電極及び前記第４の電極に供給する駆動回路とを有し、
前記第１の維持放電パルスのエッジ及び前記第２の維持放電パルスのエッジは相互に位相が同じであり、
前記第３の維持放電パルスのエッジ及び前記第４の維持放電パルスのエッジは相互に位相が異なることを特徴とするプラズマディスプレイ装置。
【請求項７】
前記第１の電極及び前記第３の電極は、前記維持放電を行うか否かを選択するためのスキャンパルスを印加するための電極である請求項６記載のプラズマディスプレイ装置。
【請求項８】
前記第１の電極及び前記第２の電極は、前記維持放電を行うか否かを選択するためのスキャンパルスを印加するための電極である請求項６記載のプラズマディスプレイ装置。
【発明の詳細な説明】
【技術分野】
【０００１】
本発明は、プラズマディスプレイ装置に関する。
【背景技術】
【０００２】
下記の特許文献１には、列電極と、これに立体交差する第１行電極と、前記第１行電極に平行に配置された第２行電極とから放電セルが構成されたＡＣ型プラズマディスプレイパネルに対し、前記第１行電極、前記第２行電極の少なくとも一方を複数のグループに分け、その各グループに対して位相の異なるパルスを印加したプラズマディスプレイパネルの駆動方法において、前記各グループの前記第１行電極と前記第２行電極との間に印加するパルスのパルス幅を同じとしたことを特徴としたプラズマディスプレイパネルの駆動方法が記載されている。第１行電極、第２行電極の少なくとも一方を複数のグループに分け、各グループに対して位相の異なるパルスを印加し、各グループの第１行電極と第２行電極の間に印加するパルスのパルス幅を同じとなるようにし、各電極対グループ毎の発光輝度は差が無くなり均一にできる。
【０００３】
【特許文献１】特開２００１−１４２４３１号公報
【発明の開示】
【発明が解決しようとする課題】
【０００４】
本発明の目的は、輝度段差を防止すると共に消費電力を低減することができるプラズマディスプレイ装置を提供することである。
【課題を解決するための手段】
【０００５】
本発明のプラズマディスプレイ装置は、第１の電極と、前記第１の電極に隣接する第２の電極と、前記第２の電極に対して前記第１の電極とは逆側に隣接し、前記第２の電極との間で維持放電を行うための第３の電極と、前記維持放電のための複数の第１の維持放電パルス、第２の維持放電パルス及び第３の維持放電パルスをそれぞれ前記第１の電極、前記第２の電極及び前記第３の電極に供給する駆動回路とを有し、前記第１の維持放電パルスのエッジ及び前記第２の維持放電パルスのエッジは、相互に位相が同じエッジと相互に位相が異なるエッジを有することを特徴とする。
【０００６】
また、本発明のプラズマディスプレイ装置は、第１の電極と、前記第１の電極に隣接する第２の電極と、前記第２の電極に対して前記第１の電極とは逆側に隣接し、前記第２の電極との間で維持放電を行うための第３の電極と、前記第３の電極に対して前記第２の電極とは逆側に隣接する第４の電極と、前記維持放電のための複数の第１の維持放電パルス、第２の維持放電パルス、第３の維持放電パルス及び第４の維持放電パルスをそれぞれ前記第１の電極、前記第２の電極、前記第３の電極及び前記第４の電極に供給する駆動回路とを有し、前記第１の維持放電パルスのエッジ及び前記第２の維持放電パルスのエッジは相互に位相が同じであり、前記第３の維持放電パルスのエッジ及び前記第４の維持放電パルスのエッジは相互に位相が異なることを特徴とする。
【発明の効果】
【０００７】
隣接する電極の維持放電パルスのエッジの位相を異ならせることにより、輝度段差を防止することができる。また、隣接する電極の維持放電パルスのエッジの位相を同じにすることにより、消費電力を低減することができる。これにより、輝度段差を防止すると共に消費電力を低減することができる
【発明を実施するための最良の形態】
【０００８】
（第１の実施形態）
図１は、本発明の第１の実施形態によるプラズマディスプレイ装置の構成例を示す図である。制御回路７は、Ｘ電極駆動回路４、Ｙ電極駆動回路５及びアドレス電極駆動回路６を制御する。Ｘ電極駆動回路４は、複数のＸ電極Ｘ１，Ｘ２，・・・に所定の電圧を供給する。以下、Ｘ電極Ｘ１，Ｘ２，・・・の各々を又はそれらの総称を、Ｘ電極Ｘｉといい、ｉは添え字を意味する。Ｙ電極駆動回路５は、複数のＹ（スキャン）電極Ｙ１，Ｙ２，・・・に所定の電圧を供給する。以下、Ｙ電極Ｙ１，Ｙ２，・・・の各々を又はそれらの総称を、Ｙ電極Ｙｉといい、ｉは添え字を意味する。アドレス電極駆動回路６は、複数のアドレス電極Ａ１，Ａ２，・・・に所定の電圧を供給する。以下、アドレス電極Ａ１，Ａ２，・・・の各々を又はそれらの総称を、アドレス電極Ａｊといい、ｊは添え字を意味する。
【０００９】
プラズマディスプレイパネル３では、Ｙ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向に交互に配置される。Ｙ電極Ｙｉ及びアドレス電極Ａｊは、ｉ行ｊ列の２次元行列を形成する。表示セルＣｉｊは、Ｙ電極Ｙｉ及びアドレス電極Ａｊの交点並びにそれに対応して隣接するＸ電極Ｘｉにより形成される。この表示セルＣｉｊが画素に対応し、プラズマディスプレイパネル３は２次元画像を表示することができる。
【００１０】
図２は、プラズマディスプレイパネル３の構造例を示す分解斜視図である。Ｘ電極Ｘｉ及びＹ電極Ｙｉは、前面ガラス基板１上に形成されている。その上には、放電空間に対し絶縁するための誘電体層１３が被着されている。さらにその上には、ＭｇＯ（酸化マグネシウム）保護層１４が被着されている。一方、アドレス電極Ａｊは、前面ガラス基板１と対向して配置された背面ガラス基板２上に形成される。その上には、誘電体層１６が被着される。更にその上には、蛍光体１８〜２０が被着されている。隔壁１７の内面には、赤、青、緑色の蛍光体１８〜２０がストライプ状に各色毎に配列、塗付されている。Ｘ電極Ｘｉ及びＹ電極Ｙｉの間の放電によって蛍光体１８〜２０を励起して各色が発光する。前面ガラス基板１及び背面ガラス基板２との間の放電空間には、Ｎｅ＋Ｘｅペニングガス等が封入されている。
【００１１】
図３は、リセット期間Ｔｒ、アドレス期間Ｔａ及び維持（サステイン）放電期間Ｔｓの動作例を説明するためのタイミングチャートである。リセット期間Ｔｒでは、Ｘ電極Ｘｉ及びＹ電極Ｙｉに所定の電圧を印加して、表示セルＣｉｊの初期化を行う。
【００１２】
アドレス期間Ｔａでは、Ｙ電極Ｙ１，Ｙ２，・・・に対してスキャンパルスを順次スキャンして印加し、そのスキャンパルスに対応してアドレスパルスをアドレス電極Ａｊに印加することにより表示画素を選択する。Ｙ電極Ｙｉのスキャンパルスに対応してアドレス電極Ａｊのアドレスパルスが生成されれば、そのＹ電極Ｙｉ及びＸ電極Ｘｉの表示セルが選択される。Ｙ電極Ｙｉのスキャンパルスに対応してアドレス電極Ａｊのアドレスパルスが生成されなければ、そのＹ電極Ｙｉ及びＸ電極Ｘｉの表示セルが選択されない。スキャンパルスに対応してアドレスパルスが生成されると、アドレス電極Ａｊ及びＹ電極Ｙｉ間のアドレス放電が起こり、それを種火としてＸ電極Ｘｉ及びＹ電極Ｙｉ間で放電が起こり、Ｘ電極Ｘｉに負電荷が蓄積され、Ｙ電極Ｙｉに正電荷が蓄積される。
【００１３】
維持放電期間Ｔｓでは、Ｘ電極Ｘｉ及びＹ電極Ｙｉ間に互いに逆相の維持放電パルスが印加され、選択された表示セルのＸ電極Ｘｉ及びＹ電極Ｙｉ間で維持放電を行い、発光を行う。
【００１４】
図４は、維持放電期間ＴｓのＸ電極及びＹ電極の電圧波形を示す図である。Ｘ電極Ｘｏｄｄは、奇数番目のＸ電極Ｘ１，Ｘ３，Ｘ５，・・・の電圧波形を示す。Ｙ電極Ｙｏｄｄは、奇数番目のＹ電極Ｙ１，Ｙ３，Ｙ５，・・・の電圧波形を示す。Ｘ電極Ｘｅｖｅｎは、偶数番目のＸ電極Ｘ２，Ｘ４，Ｘ６，・・・の電圧波形を示す。Ｙ電極Ｙｅｖｅｎは、偶数番目のＹ電極Ｙ２，Ｙ４，Ｙ６，・・・の電圧波形を示す。
【００１５】
時刻ｔ１では、Ｘ電極Ｘｏｄｄ及びＸ電極Ｘｅｖｅｎの維持放電パルスは立ち下がりエッジを有し、Ｙ電極Ｙｏｄｄ及びＹ電極Ｙｅｖｅｎの維持放電パルスは立ち上がりエッジを有する。隣接するＸ電極Ｘｏｄｄ及びＹ電極Ｙｏｄｄ間では、２×Ｖｓの電位差が生じ、放電ＤＳによる発光が生じる。また、隣接するＸ電極Ｘｅｖｅｎ及びＹ電極Ｙｅｖｅｎ間でも、２×Ｖｓの電位差が生じ、放電ＤＳによる発光が生じる。
【００１６】
次に、時刻ｔ２では、Ｘ電極Ｘｏｄｄ及びＸ電極Ｘｅｖｅｎの維持放電パルスは立ち上がりエッジを有し、Ｙ電極Ｙｏｄｄ及びＹ電極Ｙｅｖｅｎの維持放電パルスは立ち下がりエッジを有する。隣接するＸ電極Ｘｏｄｄ及びＹ電極Ｙｏｄｄ間では、２×Ｖｓの電位差が生じ、放電ＤＳによる発光が生じる。また、隣接するＸ電極Ｘｅｖｅｎ及びＹ電極Ｙｅｖｅｎ間でも、２×Ｖｓの電位差が生じ、放電ＤＳによる発光が生じる。
【００１７】
次に、時刻ｔ３では、Ｘ電極Ｘｏｄｄ及びＸ電極Ｘｅｖｅｎの維持放電パルスは立ち下がりエッジを有し、Ｙ電極Ｙｏｄｄ及びＹ電極Ｙｅｖｅｎの維持放電パルスは立ち上がりエッジを有する。隣接するＸ電極Ｘｏｄｄ及びＹ電極Ｙｏｄｄ間では、２×Ｖｓの電位差が生じ、放電ＤＳによる発光が生じる。また、隣接するＸ電極Ｘｅｖｅｎ及びＹ電極Ｙｅｖｅｎ間でも、２×Ｖｓの電位差が生じ、放電ＤＳによる発光が生じる。
【００１８】
次に、時刻ｔ４では、Ｘ電極Ｘｏｄｄ及びＸ電極Ｘｅｖｅｎの維持放電パルスは立ち上がりエッジを有し、Ｙ電極Ｙｏｄｄ及びＹ電極Ｘｅｖｅｎの維持放電パルスは立ち下がりエッジを有する。隣接するＸ電極Ｘｏｄｄ及びＹ電極Ｙｏｄｄ間では、２×Ｖｓの電位差が生じ、放電ＤＳによる発光が生じる。また、隣接するＸ電極Ｘｅｖｅｎ及びＹ電極Ｙｅｖｅｎ間でも、２×Ｖｓの電位差が生じ、放電ＤＳによる発光が生じる。
【００１９】
維持放電期間Ｔｓの時刻ｔ１、ｔ２、ｔ３及びｔ４において、Ｘ電極及びＹ電極の維持放電パルスのエッジの位相は相互に同じである。このため、維持放電ＤＳ時にすべての表示セルＣｉｊが同時に発光し、Ｘ電極及びＹ電極を流れる放電電流が大きなものとなる。この放電電流はライン負荷に依存している。ライン負荷によって放電電流が変わると、輝度が変わってしまいストリーキングが悪化する。すなわち、例えば同一ライン内の発光画素数が多いほど、放電電流が大きくなり、放電電圧が低くなり、輝度が低くなってしまう。その結果、同じ階調値であっても、高輝度のラインと低輝度のラインが発生し、輝度段差が生じる。この現象がストリーキングである。
【００２０】
また、Ｙ電極Ｙｏｄｄ及びＸ電極Ｘｅｖｅｎの維持放電パルスは電位差を有するため、Ｙ電極Ｙｏｄｄ及びＸ電極Ｘｅｖｅｎ間の容量が現れ、消費電力が増大してしまう。同様に、Ｙ電極Ｙｅｖｅｎ及びＸ電極Ｘｏｄｄの維持放電パルスは電位差を有するため、Ｙ電極Ｙｅｖｅｎ及びＸ電極Ｘｏｄｄ間の容量が現れ、消費電力が増大してしまう。
【００２１】
以上のように、維持放電ＤＳはすべての表示セルＣｉｊで同時に起こるため、放電電流はＸ電極及びＹ電極を同時に流れ、非常に大きなものとなる。放電電流が大きくなると電極自身の抵抗により放電電圧が低下してしまい輝度が低くなってしまう。また、放電電流は発光する表示セルＣｉｊの数に依存するため、１ラインの表示率が大きくなると放電電流も増加し輝度が低下する、そして、表示率が小さくなると放電電流も減少し輝度が増加する。このため、１ラインの表示率が低い表示と表示率が高い表示の組み合わせ等、表示パターンによって輝度段差が生じストリーキングを悪化させる要因となっている。
【００２２】
ストリーキングを改善させるために、Ｘ電極及びＹ電極の維持放電パルスの位相をずらすことにより維持放電ＤＳが起こるタイミングを分散させ、放電電流を低減すればよい。ただし、維持放電パルスの位相をずらしてしまうと、逆側で隣接するＸ電極及びＹ電極の維持放電パルスの位相がずれてしまい、隣接電極間の容量が現れ消費電力が増加してしまう。例えば、放電が生じないＹ電極Ｙｏｄｄ及びＸ電極Ｘｅｖｅｎ間の容量が現れ、さらにＹ電極Ｙｅｖｅｎ及びＸ電極Ｘｏｄｄ間の容量が現れ、消費電力が増加してしまう。
【００２３】
図５は、本実施形態による維持放電期間ＴｓのＸ電極及びＹ電極の電圧波形例を示す図である。第１の電極Ｙｏｄｄは、奇数番目のＹ電極Ｙ１，Ｙ３，Ｙ５，・・・の電圧波形を示す。第２の電極Ｘｅｖｅｎは、偶数番目のＸ電極Ｘ２，Ｘ４，Ｘ６，・・・の電圧波形を示す。第３の電極Ｙｅｖｅｎは、偶数番目のＹ電極Ｙ２，Ｙ４，Ｙ６，・・・の電圧波形を示す。第４の電極Ｘｏｄｄは、奇数番目のＸ電極Ｘ１，Ｘ３，Ｘ５，・・・の電圧波形を示す。Ｙ電極Ｙｏｄｄ及びＹｅｖｅｎは、図３のアドレス期間Ｔａにおいて、維持放電を行うか否かを選択するためのスキャンパルスを印加するための電極である。
【００２４】
電極Ｘｅｖｅｎ（例えばＸ２）は、電極Ｙｏｄｄ（例えばＹ１）に隣接する。電極Ｙｅｖｅｎ（例えばＹ２）は、電極Ｘｅｖｅｎ（例えばＸ２）に対して電極Ｙｏｄｄ（例えばＹ１）とは逆側に隣接し、電極Ｘｅｖｅｎ（例えばＸ２）との間で維持放電を行うための電極である。電極Ｘｏｄｄ（例えばＸ３）は、電極Ｙｅｖｅｎ（例えばＹ２）に対して電極Ｘｅｖｅｎ（例えばＸ２）とは逆側に隣接し、電極Ｙｏｄｄ（例えばＹ４）との間で維持放電を行うための電極である。
【００２５】
時刻ｔ１では、Ｘ電極Ｘｏｄｄの維持放電パルスは立ち下がりエッジを有し、Ｙ電極Ｙｏｄｄ及びＸ電極Ｘｅｖｅｎの維持放電パルスは立ち上がりエッジを有する。隣接するＸ電極Ｘｏｄｄ及びＹ電極Ｙｏｄｄ間では、２×Ｖｓの電位差が生じ、放電ＤＳによる発光が生じる。例えば、Ｘ電極Ｘ１及びＹ電極Ｙ１間で放電ＤＳが生じる。
【００２６】
次に、時刻ｔ２では、Ｙ電極Ｙｅｖｅｎの維持放電パルスは立ち下がりエッジを有する。隣接するＸ電極Ｘｅｖｅｎ及びＹ電極Ｙｅｖｅｎ間では、２×Ｖｓの電位差が生じ、放電ＤＳによる発光が生じる。例えば、Ｘ電極Ｘ２及びＹ電極Ｙ２間で放電ＤＳが生じる。
【００２７】
次に、時刻ｔ３では、Ｘ電極Ｘｏｄｄの維持放電パルスは立ち上がりエッジを有し、Ｙ電極Ｙｏｄｄ及びＸ電極Ｘｅｖｅｎの維持放電パルスは立ち下がりエッジを有する。隣接するＸ電極Ｘｏｄｄ及びＹ電極Ｙｏｄｄ間では、２×Ｖｓの電位差が生じ、放電ＤＳによる発光が生じる。
【００２８】
次に、時刻ｔ４では、Ｙ電極Ｙｅｖｅｎの維持放電パルスは立ち上がりエッジを有する。隣接するＸ電極Ｘｅｖｅｎ及びＹ電極Ｙｅｖｅｎ間では、２×Ｖｓの電位差が生じ、放電ＤＳによる発光が生じる。
【００２９】
以上のように、時刻ｔ１からｔ４までを含み、時刻ｔ１からその次の時刻ｔ１までが１周期ＴＴである。維持放電期間Ｔｓでは、この周期ＴＴが繰り返し行われる。
【００３０】
Ｙ電極Ｙｏｄｄの維持放電パルスのエッジ及びＸ電極Ｘｅｖｅｎの維持放電パルスのエッジは相互に位相が同じである。これにより、Ｙ電極Ｙｏｄｄ及びＸ電極Ｘｅｖｅｎ間の容量が現れず、消費電力を低減することができる。
【００３１】
これに対し、Ｙ電極Ｙｅｖｅｎの維持放電パルスのエッジ及びＸ電極Ｘｏｄｄの維持放電パルスのエッジは相互に位相が異なる。これにより、上記の４個の放電ＤＳは、すべて異なる時刻ｔ１、ｔ２、ｔ３及びｔ４に生じるので、放電電流が小さくなり、ストリーキングを防止することができる。すなわち、ライン間の輝度段差を防止することができる。
【００３２】
本実施形態によれば、ライン間の輝度段差を防止すると共に消費電力を低減することができる。
【００３３】
（第２の実施形態）
図６は、本発明の第２の実施形態によるＸ電極及びＹ電極の配置例を示す図である。第１の実施形態（図１）では、Ｘ電極及びＹ電極が垂直方向に対して交互に配置される例を示した。第２の実施形態では、垂直方向に対してＸ電極及びＹ電極が２本ずつ交互に配置される。具体的には、上から順に、Ｘ電極Ｘ１、Ｘ電極Ｘ２、Ｙ電極Ｙ１、Ｙ電極Ｙ２、Ｘ電極Ｘ３、Ｘ電極Ｘ４、・・・が配置される。Ｘ電極は、Ｘ電極駆動回路４から電圧が供される。Ｙ電極は、Ｙ電極駆動回路５から電圧が供給される。
【００３４】
図７は、維持放電期間ＴｓのＸ電極及びＹ電極の電圧波形を示す図である。Ｘ電極Ｘｅｖｅｎは、偶数番目のＸ電極Ｘ２，Ｘ４，Ｘ６，・・・の電圧波形を示す。Ｙ電極Ｙｏｄｄは、奇数番目のＹ電極Ｙ１，Ｙ３，Ｙ５，・・・の電圧波形を示す。Ｙ電極Ｙｅｖｅｎは、偶数番目のＹ電極Ｙ２，Ｙ４，Ｙ６，・・・の電圧波形を示す。Ｘ電極Ｘｏｄｄは、奇数番目のＸ電極Ｘ１，Ｘ３，Ｘ５，・・・の電圧波形を示す。
【００３５】
時刻ｔ１では、Ｘ電極Ｘｅｖｅｎ及びＸ電極Ｘｏｄｄの維持放電パルスは立ち下がりエッジを有し、Ｙ電極Ｙｏｄｄ及びＹ電極Ｙｅｖｅｎの維持放電パルスは立ち上がりエッジを有する。隣接するＸ電極Ｘｅｖｅｎ及びＹ電極Ｙｏｄｄ間では、２×Ｖｓの電位差が生じ、放電ＤＳによる発光が生じる。また、隣接するＹ電極Ｙｅｖｅｎ及びＸ電極Ｘｏｄｄ間でも、２×Ｖｓの電位差が生じ、放電ＤＳによる発光が生じる。
【００３６】
次に、時刻ｔ２では、Ｘ電極Ｘｅｖｅｎ及びＸ電極Ｘｏｄｄの維持放電パルスは立ち上がりエッジを有し、Ｙ電極Ｙｏｄｄ及びＹ電極Ｙｅｖｅｎの維持放電パルスは立ち下がりエッジを有する。隣接するＸ電極Ｘｅｖｅｎ及びＹ電極Ｙｏｄｄ間では、２×Ｖｓの電位差が生じ、放電ＤＳによる発光が生じる。また、隣接するＹ電極Ｙｅｖｅｎ及びＸ電極Ｘｏｄｄ間でも、２×Ｖｓの電位差が生じ、放電ＤＳによる発光が生じる。
【００３７】
次に、時刻ｔ３では、Ｘ電極Ｘｅｖｅｎ及びＸ電極Ｘｏｄｄの維持放電パルスは立ち下がりエッジを有し、Ｙ電極Ｙｏｄｄ及びＹ電極Ｙｅｖｅｎの維持放電パルスは立ち上がりエッジを有する。隣接するＸ電極Ｘｅｖｅｎ及びＹ電極Ｙｏｄｄ間では、２×Ｖｓの電位差が生じ、放電ＤＳによる発光が生じる。また、隣接するＹ電極Ｙｅｖｅｎ及びＸ電極Ｘｏｄｄ間でも、２×Ｖｓの電位差が生じ、放電ＤＳによる発光が生じる。
【００３８】
次に、時刻ｔ４では、Ｘ電極Ｘｅｖｅｎ及びＸ電極Ｘｏｄｄの維持放電パルスは立ち上がりエッジを有し、Ｙ電極Ｙｏｄｄ及びＹ電極Ｙｅｖｅｎの維持放電パルスは立ち下がりエッジを有する。隣接するＸ電極Ｘｅｖｅｎ及びＹ電極Ｙｏｄｄ間では、２×Ｖｓの電位差が生じ、放電ＤＳによる発光が生じる。また、隣接するＹ電極Ｙｅｖｅｎ及びＸ電極Ｘｏｄｄ間でも、２×Ｖｓの電位差が生じ、放電ＤＳによる発光が生じる。
【００３９】
隣接するＹ電極Ｙｏｄｄ及びＹ電極Ｙｅｖｅｎの維持放電パルスは電位が同じであるので、Ｙ電極Ｙｏｄｄ及びＹ電極Ｙｅｖｅｎ間の容量が現れず、消費電力を低減することができる。同様に、隣接するＸ電極Ｘｏｄｄ及びＸ電極Ｘｅｖｅｎの維持放電パルスは電位が同じであるので、Ｘ電極Ｘｏｄｄ及びＸ電極Ｘｅｖｅｎ間の容量が現れず、消費電力を低減することができる。
【００４０】
しかし、すべての表示セルＣｉｊが同時に放電ＤＳし、Ｘ電極及びＹ電極に大きな放電電流が流れ、ストリーキングを悪化させる。
【００４１】
図８は、本実施形態による維持放電期間ＴｓのＸ電極及びＹ電極の電圧波形例を示す図である。第１の電極Ｙｏｄｄは、奇数番目のＹ電極Ｙ１，Ｙ３，Ｙ５，・・・の電圧波形を示す。第２の電極Ｙｅｖｅｎは、偶数番目のＹ電極Ｙ２，Ｙ４，Ｙ６，・・・の電圧波形を示す。第３の電極Ｘｏｄｄは、奇数番目のＸ電極Ｘ１，Ｘ３，Ｘ５，・・・の電圧波形を示す。第４の電極Ｘｅｖｅｎは、偶数番目のＹ電極Ｙ２，Ｙ４，Ｙ６，・・・の電圧波形を示す。Ｙ電極Ｙｏｄｄ及びＹｅｖｅｎは、図３のアドレス期間Ｔａにおいて、維持放電を行うか否かを選択するためのスキャンパルスを印加するための電極である。
【００４２】
電極Ｙｅｖｅｎ（例えばＹ２）は、電極Ｙｏｄｄ（例えばＹ１）に隣接する。電極Ｘｏｄｄ（例えばＸ３）は、電極Ｙｅｖｅｎ（例えばＹ２）に対して電極Ｙｏｄｄ（例えばＹ１）とは逆側に隣接し、電極Ｙｅｖｅｎ（例えばＹ２）との間で維持放電を行うための電極である。電極Ｘｅｖｅｎ（例えばＸ４）は、電極Ｘｏｄｄ（例えばＸ３）に対して電極Ｙｅｖｅｎ（例えばＹ２）とは逆側に隣接し、電極Ｙｏｄｄ（例えばＹ３）との間で維持放電を行うための電極である。
【００４３】
時刻ｔ１では、Ｘ電極Ｘｅｖｅｎの維持放電パルスは立ち下がりエッジを有し、Ｙ電極Ｙｏｄｄ及びＹ電極Ｙｅｖｅｎの維持放電パルスは立ち上がりエッジを有する。隣接するＸ電極Ｘｅｖｅｎ及びＹ電極Ｙｏｄｄ間では、２×Ｖｓの電位差が生じ、放電ＤＳによる発光が生じる。例えば、Ｘ電極Ｘ２及びＹ電極Ｙ１間で放電ＤＳが生じる。
【００４４】
次に、時刻ｔ２では、Ｘ電極Ｘｏｄｄの維持放電パルスは立ち下がりエッジを有する。隣接するＹ電極Ｙｅｖｅｎ及びＸ電極Ｘｏｄｄ間では、２×Ｖｓの電位差が生じ、放電ＤＳによる発光が生じる。例えば、Ｙ電極Ｙ２及びＸ電極Ｘ３間で放電ＤＳが生じる。
【００４５】
次に、時刻ｔ３では、Ｙ電極Ｙｏｄｄ及びＹｅｖｅｎの維持放電パルスは立ち下がりエッジを有し、Ｘ電極Ｘｏｄｄの維持放電パルスは立ち上がりエッジを有する。隣接するＹ電極Ｙｅｖｅｎ及びＸ電極Ｘｏｄｄ間では、２×Ｖｓの電位差が生じ、放電ＤＳによる発光が生じる。
【００４６】
次に、時刻ｔ４では、Ｘ電極Ｘｅｖｅｎの維持放電パルスは立ち上がりエッジを有する。隣接するＸ電極Ｘｅｖｅｎ及びＹ電極Ｙｏｄｄ間では、２×Ｖｓの電位差が生じ、放電ＤＳによる発光が生じる。
【００４７】
次に、時刻ｔ５では、Ｙ電極Ｙｅｖｅｎの維持放電パルスは立ち上がりエッジを有する。
【００４８】
次に、時刻ｔ６では、Ｘ電極Ｘｅｖｅｎ及びＸｏｄｄの維持放電パルスは立ち下がりエッジを有する。隣接するＹ電極Ｙｅｖｅｎ及びＸ電極Ｘｏｄｄ間では、２×Ｖｓの電位差が生じ、放電ＤＳによる発光が生じる。
【００４９】
次に、時刻ｔ７では、Ｙ電極Ｙｏｄｄの維持放電パルスは立ち上がりエッジを有する。隣接するＸ電極Ｘｅｖｅｎ及びＹ電極Ｙｏｄｄ間では、２×Ｖｓの電位差が生じ、放電ＤＳによる発光が生じる。
【００５０】
次に、時刻ｔ８では、Ｙ電極Ｙｅｖｅｎの維持放電パルスは立ち下がりエッジを有する。
【００５１】
次に、時刻ｔ９では、Ｘ電極Ｘｅｖｅｎ及びＸｏｄｄの維持放電パルスは立ち上がりエッジを有する。隣接するＹ電極Ｙｅｖｅｎ及びＸ電極Ｘｏｄｄ間では、２×Ｖｓの電位差が生じ、放電ＤＳによる発光が生じる。
【００５２】
次に、時刻ｔ１０では、Ｙ電極Ｙｏｄｄの維持放電パルスは立ち下がりエッジを有する。隣接するＸ電極Ｘｅｖｅｎ及びＹ電極Ｙｏｄｄ間では、２×Ｖｓの電位差が生じ、放電ＤＳによる発光が生じる。
【００５３】
以上のように、時刻ｔ１からｔ１０までを含み、時刻ｔ１からその次の時刻ｔ１までが１周期である。維持放電期間Ｔｓでは、この周期が繰り返し行われる。
【００５４】
時刻ｔ１及びｔ３では、Ｙ電極Ｙｏｄｄ及びＹｅｖｅｎの維持放電パルスのエッジは相互に位相が同じである。これにより、Ｙ電極Ｙｏｄｄ及びＹｅｖｅｎ間の容量が現れず、消費電力を低減することができる。
【００５５】
また、時刻ｔ６及びｔ９では、Ｘ電極Ｘｏｄｄ及びＸｅｖｅｎの維持放電パルスのエッジは相互に位相が同じである。これにより、Ｘ電極Ｘｏｄｄ及びＸｅｖｅｎ間の容量が現れず、消費電力を低減することができる。
【００５６】
これに対し、時刻ｔ１、ｔ２、ｔ３及びｔ４では、Ｘ電極Ｘｏｄｄ及びＸｅｖｅｎの維持放電パルスのエッジは相互に位相が異なる。また、時刻ｔ５、ｔ７、ｔ８及びｔ１０では、Ｙ電極Ｙｏｄｄ及びＹｅｖｅｎの維持放電パルスのエッジは相互に位相が異なる。これにより、上記の８個の放電ＤＳは、すべて異なる時刻ｔ１、ｔ２、ｔ３、ｔ４、ｔ６、ｔ７、ｔ９及びｔ１０に生じるので、放電電流が小さくなり、ストリーキングを防止することができる。すなわち、ライン間の輝度段差を防止することができる。
【００５７】
Ｙ電極Ｙｏｄｄの維持放電パルスのエッジ及びＹ電極Ｙｅｖｅｎの維持放電パルスのエッジは、相互に位相が同じエッジと相互に位相が異なるエッジを有する。具体的には、Ｙ電極Ｙｏｄｄの維持放電パルスのエッジ及びＹ電極Ｙｅｖｅｎの維持放電パルスのエッジは、１周期中において、相互に位相が同じエッジの数と相互に位相が異なるエッジの数とが同じである。
【００５８】
同様に、Ｘ電極Ｘｏｄｄの維持放電パルスのエッジ及びＸ電極Ｘｅｖｅｎの維持放電パルスのエッジは、相互に位相が同じエッジと相互に位相が異なるエッジを有する。具体的には、Ｘ電極Ｘｏｄｄの維持放電パルスのエッジ及びＸ電極Ｘｅｖｅｎの維持放電パルスのエッジは、１周期中において、相互に位相が同じエッジの数と相互に位相が異なるエッジの数とが同じである。
【００５９】
本実施形態によれば、ライン間の輝度段差を防止すると共に消費電力を低減することができる。
【００６０】
（第３の実施形態）
図９は、本発明の第３の実施形態による維持放電期間ＴｓのＸ電極及びＹ電極の電圧波形例を示す図である。Ｘ電極及びＹ電極の配置は、図６に示す通りである。本実施形態が第２の実施形態と異なる点を説明する。
【００６１】
時刻ｔ１では、Ｘ電極Ｘｅｖｅｎの維持放電パルスは立ち下がりエッジを有し、Ｙ電極Ｙｏｄｄ及びＹ電極Ｙｅｖｅｎの維持放電パルスは立ち上がりエッジを有する。隣接するＸ電極Ｘｅｖｅｎ及びＹ電極Ｙｏｄｄ間では、２×Ｖｓの電位差が生じ、放電ＤＳによる発光が生じる。例えば、Ｘ電極Ｘ２及びＹ電極Ｙ１間で放電ＤＳが生じる。
【００６２】
時刻ｔ２では、Ｘ電極Ｘｏｄｄの維持放電パルスは立ち下がりエッジを有する。隣接するＹ電極Ｙｅｖｅｎ及びＸ電極Ｘｏｄｄ間では、２×Ｖｓの電位差が生じ、放電ＤＳによる発光が生じる。例えば、Ｙ電極Ｙ２及びＸ電極Ｘ３間で放電ＤＳが生じる。
【００６３】
時刻ｔ３では、Ｙ電極Ｙｏｄｄ及びＹｅｖｅｎの維持放電パルスは立ち下がりエッジを有し、Ｘ電極Ｘｏｄｄの維持放電パルスは立ち上がりエッジを有する。隣接するＹ電極Ｙｅｖｅｎ及びＸ電極Ｘｏｄｄ間では、２×Ｖｓの電位差が生じ、放電ＤＳによる発光が生じる。
【００６４】
時刻ｔ４では、Ｘ電極Ｘｅｖｅｎの維持放電パルスは立ち上がりエッジを有する。隣接するＸ電極Ｘｅｖｅｎ及びＹ電極Ｙｏｄｄ間では、２×Ｖｓの電位差が生じ、放電ＤＳによる発光が生じる。
【００６５】
時刻ｔ５では、Ｙ電極Ｙｏｄｄ及びＹｅｖｅｎの維持放電パルスは立ち上がりエッジを有し、Ｘ電極Ｘｏｄｄの維持放電パルスは立ち下がりエッジを有する。隣接するＹ電極Ｙｅｖｅｎ及びＸ電極Ｘｏｄｄ間では、２×Ｖｓの電位差が生じ、放電ＤＳによる発光が生じる。
【００６６】
時刻ｔ６では、Ｘ電極Ｘｅｖｅｎの維持放電パルスは立ち下がりエッジを有する。隣接するＸ電極Ｘｅｖｅｎ及びＹ電極Ｙｏｄｄ間では、２×Ｖｓの電位差が生じ、放電ＤＳによる発光が生じる。
【００６７】
時刻ｔ７では、Ｘ電極Ｘｅｖｅｎの維持放電パルスは立ち上がりエッジを有し、Ｙ電極Ｙｏｄｄ及びＹｅｖｅｎの維持放電パルスは立ち下がりエッジを有する。隣接するＸ電極Ｘｅｖｅｎ及びＹ電極Ｙｏｄｄ間では、２×Ｖｓの電位差が生じ、放電ＤＳによる発光が生じる。
【００６８】
時刻ｔ８では、Ｘ電極Ｘｏｄｄの維持放電パルスは立ち上がりエッジを有する。隣接するＹ電極Ｙｅｖｅｎ及びＸ電極Ｘｏｄｄ間では、２×Ｖｓの電位差が生じ、放電ＤＳによる発光が生じる。
【００６９】
時刻ｔ９では、Ｘ電極Ｘｅｖｅｎ及びＸｏｄｄの維持放電パルスは立ち下がりエッジを有し、Ｙ電極Ｙｏｄｄの維持放電パルスは立ち上がりエッジを有する。隣接するＸ電極Ｘｅｖｅｎ及びＹ電極Ｙｏｄｄ間では、２×Ｖｓの電位差が生じ、放電ＤＳによる発光が生じる。
【００７０】
時刻ｔ１０では、Ｙ電極Ｙｅｖｅｎの維持放電パルスは立ち上がりエッジを有する。隣接するＹ電極Ｙｅｖｅｎ及びＸ電極Ｘｏｄｄ間では、２×Ｖｓの電位差が生じ、放電ＤＳによる発光が生じる。
【００７１】
時刻ｔ１１では、Ｘ電極Ｘｅｖｅｎ及びＸｏｄｄの維持放電パルスは立ち上がりエッジを有し、Ｙ電極Ｙｏｄｄの維持放電パルスは立ち下がりエッジを有する。隣接するＸ電極Ｘｅｖｅｎ及びＹ電極Ｙｏｄｄ間では、２×Ｖｓの電位差が生じ、放電ＤＳによる発光が生じる。
【００７２】
時刻ｔ１２では、Ｙ電極Ｙｅｖｅｎの維持放電パルスは立ち下がりエッジを有する。隣接するＹ電極Ｙｅｖｅｎ及びＸ電極Ｘｏｄｄ間では、２×Ｖｓの電位差が生じ、放電ＤＳによる発光が生じる。
【００７３】
時刻ｔ１３では、Ｘ電極Ｘｅｖｅｎ及びＸｏｄｄの維持放電パルスは立ち下がりエッジを有し、Ｙ電極Ｙｅｖｅｎの維持放電パルスは立ち上がりエッジを有する。隣接するＹ電極Ｙｅｖｅｎ及びＸ電極Ｘｏｄｄ間では、２×Ｖｓの電位差が生じ、放電ＤＳによる発光が生じる。
【００７４】
時刻ｔ１４では、Ｙ電極Ｙｏｄｄの維持放電パルスは立ち上がりエッジを有する。隣接するＸ電極Ｘｅｖｅｎ及びＹ電極Ｙｏｄｄ間では、２×Ｖｓの電位差が生じ、放電ＤＳによる発光が生じる。
【００７５】
時刻ｔ１５では、Ｘ電極Ｘｅｖｅｎ及びＸｏｄｄの維持放電パルスは立ち上がりエッジを有し、Ｙ電極Ｙｅｖｅｎの維持放電パルスは立ち下がりエッジを有する。隣接するＹ電極Ｙｅｖｅｎ及びＸ電極Ｘｏｄｄ間では、２×Ｖｓの電位差が生じ、放電ＤＳによる発光が生じる。
【００７６】
時刻ｔ１６では、Ｙ電極Ｙｏｄｄの維持放電パルスは立ち下がりエッジを有する。隣接するＸ電極Ｘｅｖｅｎ及びＹ電極Ｙｏｄｄ間では、２×Ｖｓの電位差が生じ、放電ＤＳによる発光が生じる。
【００７７】
以上のように、時刻ｔ１からｔ１６までを含み、時刻ｔ１からその次の時刻ｔ１までが１周期である。維持放電期間Ｔｓでは、この周期が繰り返し行われる。
【００７８】
時刻ｔ１、ｔ３、ｔ５及びｔ７では、Ｙ電極Ｙｏｄｄ及びＹｅｖｅｎの維持放電パルスのエッジは相互に位相が同じである。これにより、Ｙ電極Ｙｏｄｄ及びＹｅｖｅｎ間の容量が現れず、消費電力を低減することができる。
【００７９】
また、時刻ｔ９、ｔ１１、ｔ１３及びｔ１５では、Ｘ電極Ｘｏｄｄ及びＸｅｖｅｎの維持放電パルスのエッジは相互に位相が同じである。これにより、Ｘ電極Ｘｏｄｄ及びＸｅｖｅｎ間の容量が現れず、消費電力を低減することができる。
【００８０】
これに対し、時刻ｔ１、ｔ２、ｔ３、ｔ４、ｔ５、ｔ６、ｔ７及びｔ８では、Ｘ電極Ｘｏｄｄ及びＸｅｖｅｎの維持放電パルスのエッジは相互に位相が異なる。また、時刻ｔ９、ｔ１０、ｔ１１、ｔ１２、ｔ１３、ｔ１４、ｔ１５及びｔ１６では、Ｙ電極Ｙｏｄｄ及びＹｅｖｅｎの維持放電パルスのエッジは相互に位相が異なる。これにより、上記の１６個の放電ＤＳは、すべて異なる時刻に生じるので、放電電流が小さくなり、ストリーキングを防止することができる。すなわち、ライン間の輝度段差を防止することができる。
【００８１】
Ｙ電極Ｙｏｄｄの維持放電パルスのエッジ及びＹ電極Ｙｅｖｅｎの維持放電パルスのエッジは、相互に位相が同じエッジと相互に位相が異なるエッジを有する。具体的には、Ｙ電極Ｙｏｄｄの維持放電パルスのエッジ及びＹ電極Ｙｅｖｅｎの維持放電パルスのエッジは、１周期中において、相互に位相が同じエッジの数と相互に位相が異なるエッジの数とが同じである。
【００８２】
同様に、Ｘ電極Ｘｏｄｄの維持放電パルスのエッジ及びＸ電極Ｘｅｖｅｎの維持放電パルスのエッジは、相互に位相が同じエッジと相互に位相が異なるエッジを有する。具体的には、Ｘ電極Ｘｏｄｄの維持放電パルスのエッジ及びＸ電極Ｘｅｖｅｎの維持放電パルスのエッジは、１周期中において、相互に位相が同じエッジの数と相互に位相が異なるエッジの数とが同じである。
【００８３】
本実施形態によれば、ライン間の輝度段差を防止すると共に消費電力を低減することができる。
【００８４】
第１の周期パターンＴ１は、時刻ｔ１からｔ８までを含む。第１の周期パターンＴ１では、Ｙ電極Ｙｏｄｄの維持放電パルスのエッジ及びＹ電極Ｙｅｖｅｎの維持放電パルスのエッジは相互に位相が同じであり、Ｘ電極Ｘｏｄｄの維持放電パルスのエッジ及びＸ電極Ｘｅｖｅｎの維持放電パルスのエッジは相互に位相が異なる。維持放電期間Ｔｓでは、第２の周期パターンＴ２を使用せず、第１の周期パターンＴ１のみを繰り返し実行してもよい。その場合も、ライン間の輝度段差を防止すると共に消費電力を低減することができる。
【００８５】
また、第２の周期パターンＴ２は、時刻ｔ９からｔ１６までを含む。第２の周期パターンＴ２では、Ｘ電極Ｘｏｄｄの維持放電パルスのエッジ及びＸ電極Ｘｅｖｅｎの維持放電パルスのエッジは相互に位相が同じであり、Ｙ電極Ｙｏｄｄの維持放電パルスのエッジ及びＹ電極Ｙｅｖｅｎの維持放電パルスのエッジは相互に位相が異なる。維持放電期間Ｔｓでは、第１の周期パターンＴ１を使用せず、第２の周期パターンＴ２のみを繰り返し実行してもよい。その場合も、ライン間の輝度段差を防止すると共に消費電力を低減することができる。
【００８６】
また、維持放電期間Ｔｓでは、第１の周期パターンＴ１及び第２の周期パターンＴ２を任意の組み合わせで実行するようにしてもよい。その場合も、ライン間の輝度段差を防止すると共に消費電力を低減することができる。
【００８７】
第１の周期パターンＴ１及びそれに続く第２の周期パターンＴ２の維持放電パルスがＸ電極及びＹ電極に供給される。第１の周期パターンＴ１及び第２の周期パターンＴ２の期間において、Ｙ電極Ｙｏｄｄの維持放電パルスのエッジ及びＹ電極Ｙｅｖｅｎの維持放電パルスのエッジは、相互に位相が同じエッジと相互に位相が異なるエッジを有する。具体的には、第１の周期パターンＴ１及び第２の周期パターンＴ２の期間において、Ｙ電極Ｙｏｄｄの維持放電パルスのエッジ及びＹ電極Ｙｅｖｅｎの維持放電パルスのエッジは、相互に位相が同じエッジの数と相互に位相が異なるエッジの数とが同じである。
【００８８】
同様に、第１の周期パターンＴ１及び第２の周期パターンＴ２の期間において、Ｘ電極Ｘｏｄｄの維持放電パルスのエッジ及びＸ電極Ｘｅｖｅｎの維持放電パルスのエッジは、相互に位相が同じエッジと相互に位相が異なるエッジを有する。具体的には、第１の周期パターンＴ１及び第２の周期パターンＴ２の期間において、Ｘ電極Ｘｏｄｄの維持放電パルスのエッジ及びＸ電極Ｘｅｖｅｎの維持放電パルスのエッジは、相互に位相が同じエッジの数と相互に位相が異なるエッジの数とが同じである。
【００８９】
以上のように、第１〜第３の実施形態によれば、維持放電パルスのエッジの半分の位相を同じにし、残りの半分の位相を異ならせることができる。維持放電ＤＳのタイミングを単純にずらすと、維持放電パルスのエッジのすべての位相がずれてしまい、消費電力が大きくなってしまう。また、維持放電パルスのエッジのすべての位相を単純に同じにすると、維持放電ＤＳのタイミングが同じになってしまい、ライン間の輝度段差が生じてしまう。
【００９０】
維持放電パルスのエッジのすべての位相がずれている場合は、維持放電パルスのエッジのすべての位相が同じ場合に比べ、消費電力が２倍になる。これに対し、第１〜第３の実施形態のように、維持放電パルスのエッジの半分の位相が同じであり、残りの半分の位相が異なる場合には、維持放電パルスのエッジのすべての位相が同じ場合に比べ、消費電力を１．５倍に抑えることができ、さらにライン間の輝度段差を防止することができる。
【００９１】
維持放電ＤＳの発光タイミングを分散させ、一度に流れる放電電流を減少させることにより、放電電圧の低下を軽減し、輝度段差を小さくすることによりストリーキングを改善することができる。同時に、維持放電パルスの立ち上がりエッジ及び／又は立ち下がりエッジの位相をずらすことにより、Ｘ電極及び／又はＹ電極の隣接容量が現れ消費電力が増加してしまうが、立ち上がりエッジ及び／又は立ち下がりエッジの位相の半数を一致させることにより消費電力の増加を抑え、維持放電ＤＳの発光タイミングを分散させることができる。維持放電ＤＳのタイミングを分散させることによりストリーキングを改善すると共に、維持放電パルスのエッジの位相をずらすことにより消費電力の増加を抑制することができる。
【００９２】
本実施形態のＡＣ型プラズマディスプレイ装置は、平面型のテレビジョン、店頭表示用のディスプレイに使用することができる。
【００９３】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００９４】
【図１】本発明の第１の実施形態によるプラズマディスプレイ装置の構成例を示す図である。
【図２】プラズマディスプレイパネルの構造例を示す分解斜視図である。
【図３】リセット期間、アドレス期間及び維持（サステイン）放電期間の動作例を説明するためのタイミングチャートである。
【図４】維持放電期間のＸ電極及びＹ電極の電圧波形を示す図である。
【図５】第１の実施形態による維持放電期間のＸ電極及びＹ電極の電圧波形例を示す図である。
【図６】本発明の第２の実施形態によるＸ電極及びＹ電極の配置例を示す図である。
【図７】図６の維持放電期間のＸ電極及びＹ電極の電圧波形を示す図である。
【図８】第２の実施形態による維持放電期間のＸ電極及びＹ電極の電圧波形例を示す図である。
【図９】本発明の第３の実施形態による維持放電期間のＸ電極及びＹ電極の電圧波形例を示す図である。
【符号の説明】
【００９５】
１  前面ガラス基板
２  背面ガラス基板
３  プラズマディスプレイパネル
４  Ｘ電極駆動回路
５  Ｙ電極駆動回路
６  アドレス電極駆動回路
７  制御回路
１３、１６  誘電体層
１４  保護層
１７  隔壁
１８〜２０  蛍光体
【図１】
2008051845.tif 000003
【図２】
2008051845.tif 000004
【図３】
2008051845.tif 000005
【図４】
2008051845.tif 000006
【図５】
2008051845.tif 000007
【図６】
2008051845.tif 000008
【図７】
2008051845.tif 000009
【図８】
2008051845.tif 000010
【図９】
2008051845.tif 000011